(57)【特許請求の範囲】
【請求項１】
複数の画素回路と、
走査線を介して前記複数の画素回路に制御信号を供給する走査線駆動回路と、
を備え、
前記走査線駆動回路は、
制御電位を供給する電圧供給回路と、
基準電位と前記制御電位との切り替えで前記制御信号を生成する出力バッファとを含み、
前記電圧供給回路は、
動作温度が高くなるに従って前記制御電位と前記基準電位との差を大きくする
表示装置。
【請求項２】
前記電圧供給回路は、
前記制御電位より高い第１電位を供給する第１電源と、
前記制御電位より低い第２電位を供給する第２電源と、
前記第１電源と前記第２電源との間に接続される抵抗分割回路を備え、
前記抵抗分割回路は、ダイオード接続されたトランジスタと抵抗素子とを含む
請求項１に記載の表示装置。
【請求項３】
前記制御電位は前記基準電位よりも高く、前記第２電位は前記基準電位と等しい
請求項２に記載の表示装置。
【請求項４】
前記制御電位は前記基準電位よりも高く、前記第２電位は前記基準電位と等しい
請求項２に記載の表示装置。
【請求項５】
前記電圧供給回路は、
前記トランジスタと前記抵抗素子との間に出力端を備える
請求項２に記載の表示装置。
【請求項６】
前記電圧供給回路は、
前記トランジスタのオン抵抗が前記抵抗素子の抵抗値よりも大きく、前記抵抗素子と前記トランジスタとの抵抗分割によって前記制御電位を生成する
請求項２に記載の表示装置。
【請求項７】
前記制御信号は、
動作温度が低いときの振幅に比べて動作温度が高いときの振幅が大きい
請求項１に記載の表示装置。
【請求項８】
前記出力バッファは、複数のインバータ回路を含み、
前記複数のインバータ回路のうち、前記走査線に接続されるインバータ回路が前記電圧供給回路に接続される
請求項１に記載の表示装置。
【請求項９】
前記電圧供給回路と前記出力バッファとは、同一基板上に形成される
請求項１に記載の表示装置。
【請求項１０】
信号線を介して前記複数の画素回路に表示信号を供給する信号線駆動回路をさらに備え、
前記画素回路は、サンプリングトランジスタ、駆動用トランジスタ、発光素子、及び、保持容量を含み、
前記サンプリングトランジスタは、前記信号線と前記保持容量とに接続され、前記制御信号に応じて導通して前記表示信号の信号電位を前記保持容量に書き込み、
前記駆動用トランジスタは、電源線と前記発光素子との間に接続され、前記保持容量に書き込まれた電位に応じた駆動電流を前記発光素子に供給する
請求項１に記載の表示装置。
【請求項１１】
複数の画素回路と、
走査線を介して前記複数の画素回路に制御信号を供給する走査線駆動回路と、
を備え、
前記走査線駆動回路は、
制御電位を供給する電圧供給回路と、
基準電位と前記制御電位との切り替えで前記制御信号を生成する出力バッファとを含み、
前記電圧供給回路は、
動作温度が高くなるに従って前記制御電位と前記基準電位との差を大きくする
表示装置の駆動方法。
【請求項１２】
複数の画素回路と、
走査線を介して前記複数の画素回路に制御信号を供給する走査線駆動回路と、
を備え、
前記走査線駆動回路は、
制御電位を供給する電圧供給回路と、
基準電位と前記制御電位との切り替えで前記制御信号を生成する出力バッファとを含み、
前記電圧供給回路は、
動作温度が高くなるに従って前記制御電位と前記基準電位との差を大きくする
電子機器。
【発明の詳細な説明】
【技術分野】
【０００１】
本開示の技術は、表示装置、表示装置の駆動方法、及び、電子機器に関する。
【背景技術】
【０００２】
有機ＥＬ表示装置の駆動方式は、単純マトリクス方式とアクティブマトリクス方式とに大別される。単純マトリクス方式では、線順次走査される走査線と信号線との交差部に有機ＥＬ素子を含む画素回路が接続されて、有機ＥＬ素子の駆動電流は、選択された走査線と選択された信号線とを流れる。こうした単純マトリクス方式では、複雑な装置の構成が必要とされないから、アクティブマトリクス方式に比べて、装置の製造工程が簡素である。
【０００３】
アクティブマトリクス方式では、例えば、特許文献１に記載されるように、有機ＥＬ素子、サンプリングトランジスタ、駆動用トランジスタ、保持容量等を備える画素回路が、走査線と信号線との交差部に配置される。線順次走査される走査線と信号線との交差部では、信号線の信号電位が保持容量に保持されて、有機ＥＬ素子の駆動電流は、保持容量の保持する信号電位に応じた大きさになる。アクティブマトリクス方式では、走査線の非選択時に駆動電流が供給されるから、単純マトリクス方式に比べて、フレーム期間が長く、表示装置の大型化が可能である。
【先行技術文献】
【特許文献】
【０００４】
【特許文献１】特開２００６−２１５２７４号公報
【発明の概要】
【発明が解決しようとする課題】
【０００５】
ところで、上述の各方式にて、複数の走査線の各々は、パルス信号を出力するライトスキャナに接続され、ライトスキャナは、有機ＥＬ素子の発光を制御するための制御信号を複数の走査線の各々にパルス信号として供給する。通常、ライトスキャナの出力回路では、インバータ回路等の出力バッファを通じて、制御信号の波形は整形されるため、表示装置の動作温度の変化に応じて、制御信号の波形が変形する。結果として、制御信号における過渡応答の期間の変動が生じ、有機ＥＬ素子の発光の状態が変動してしまう。
【０００６】
本開示の技術は、画素回路に入力される制御信号の過渡応答の期間が表示装置の動作温度によって変わることを抑えることの可能な表示装置、表示装置の駆動方法、及び、電子機器を提供することを目的とする。
【課題を解決するための手段】
【０００７】
本開示における表示装置の一態様は、複数の画素回路と、走査線を介して前記複数の画素回路に制御信号を供給する走査線駆動回路と、を備え、前記走査線駆動回路は、制御電位を供給する電圧供給回路と、基準電位と前記制御電位との切り替えで前記制御信号を生成する出力バッファとを含み、前記電圧供給回路は、動作温度が高くなるに従って前記制御電位と前記基準電位との差を大きくする。
【０００８】
本開示における表示装置の駆動方法は、複数の画素回路と、走査線を介して前記複数の画素回路に制御信号を供給する走査線駆動回路と、を備え、前記走査線駆動回路は、制御電位を供給する電圧供給回路と、基準電位と前記制御電位との切り替えで前記制御信号を生成する際に、動作温度が高くなるに従って前記制御電位と前記基準電位との差を大きくする。
【発明の効果】
【０００９】
本開示の技術によれば、動作温度が高くなるに従って制御電位と基準電位との差が大きくなるため、動作温度の上昇による制御信号の鈍化が抑えられる。それゆえに、画素回路に入力される制御信号の過渡応答の期間が表示装置の動作温度によって変わることが抑えられる。
【図面の簡単な説明】
【００１０】
【図１】本開示の一実施形態での表示装置の全体構成を示すブロック図である。
【図２】同実施形態での画素回路の構成を示す回路図である。
【図３】同実施形態での表示装置の駆動の態様を示すタイミングチャートである。
【図４】同実施形態での画素アレイの表示領域を例示する図である。
【図５】同実施形態での移動度補正動作に用いられる制御信号の波形図である。
【図６】同実施形態でのライトスキャナの構成を示すブロック図である。
【図７】同実施形態での出力バッファの構成を示す回路図である。
【図８】従来例でのゲートパルスの波形の温度の依存性を示す波形図である。
【図９】同実施形態でのゲートパルスの波形の温度の依存性を示す波形図である。
【図１０】同一温度でのゲートパルスを示す波形図である。
【図１１】同実施形態でのクロストーク率と温度との関係を示すグラフである。
【図１２】本開示の電子機器の一例である電子書籍端末の斜視図である。
【図１３】本開示の電子機器の一例であるパーソナルコンピューターの斜視図である。
【図１４】本開示の電子機器の一例であるテレビジョンの斜視図である。
【図１５】本開示の電子機器の一例であるデジタルスチルカメラの斜視図である。
【図１６】本開示の電子機器の一例であるデジタルスチルカメラの平面図である。
【図１７】本開示の電子機器の一例であるデジタルビデオカメラの斜視図である。
【図１８】本開示の電子機器の一例である携帯電話端末の斜視図である。
【図１９】本開示の電子機器の一例である携帯電話端末の斜視図である。
【発明を実施するための形態】
【００１１】
以下に、本開示における表示装置が有機ＥＬ表示装置に具体化された一実施形態について説明する。まず、有機ＥＬ表示装置の備える全体的な回路の構成について図１を参照して説明する。
【００１２】
図１に示されるように、表示装置１０は、画素アレイ２０と、走査線駆動回路としてのライトスキャナ３０と、ドライブスキャナ４０と、信号線駆動回路としての信号スキャナ５０とを備えている。画素アレイ２０は、ライトスキャナ３０、ドライブスキャナ４０、及び、信号スキャナ５０の少なくとも１つと同一の基板に形成されてもよいし、ライトスキャナ３０、ドライブスキャナ４０、及び、信号スキャナ５０と相互に異なる基板に形成されてもよい。
【００１３】
画素アレイ２０は、行方向に延びる複数の走査線ＷＳＬ１〜ＷＳＬｎと、複数の走査線ＷＳＬ１〜ＷＳＬｎにそれぞれ並設される複数の電源線ＤＳＬ１〜ＤＳＬｎと、列方向に延びる信号線ＨＳＬ１〜ＨＳＬｍとを備えている。画素アレイ２０は、複数の走査線ＷＳＬ１〜ＷＳＬｎと複数の信号線ＨＳＬ１〜ＨＳＬｍとが交差する部位にそれぞれ画素回路２１を備えている。
【００１４】
ライトスキャナ３０は、複数の走査線ＷＳＬ１〜ＷＳＬｎの各々に対して、走査線ＷＳＬ１から走査線ＷＳＬｎへ順にゲートパルスを出力する。ライトスキャナ３０は、制御信号であるゲートパルスの出力によって、画素回路２１に印加される電位を基準電位ＶＳＳＷＳよりも高い制御電位である書き込み電位ＶＤＤＷＳと基準電位ＶＳＳＷＳとの間で切り替える。
【００１５】
ドライブスキャナ４０は、ライトスキャナ３０のゲートパルスの出力に合わせて、複数の電源線ＤＳＬ１〜ＤＳＬｎの各々に対して、電源線ＤＳＬ１から電源線ＤＳＬｎへ順に電位を切り替える。ドライブスキャナ４０は、画素回路２１に印加する電位を高電位である駆動電位Ｖｃｃｐと低電位である初期化電位Ｖｉｎｉとの間で切り替える。
【００１６】
信号スキャナ５０は、外部からの映像信号を用いて、全ての画素回路２１に対する信号電位を表示信号として行単位で順に生成する。信号スキャナ５０は、ライトスキャナ３０のゲートパルスの出力に合わせて、複数の信号線ＨＳＬ１〜ＨＳＬｍの各々の電位をオフセット電位Ｖｏｆｓから一斉に信号電位Ｖｓｉｇに切り替える。
【００１７】
次に、上記画素回路２１の構成について図２を参照して説明する。なお、複数の画素回路２１の各々では、画素回路２１に接続される走査線と電源線と信号線とが相互に異なる一方、それ以外の構成は同様である。そこで、以下では、走査線ＷＳＬ１と電源線ＤＳＬ１と信号線ＨＳＬ１とに接続される画素回路２１を主に説明し、それ以外の画素回路２１の説明を省略する。
【００１８】
図２に示されるように、画素回路２１は、有機ＥＬ素子２２と、サンプリングトランジスタＴｒｓと、駆動用トランジスタＴｒｄと、保持容量２１Ｃとを備えている。
サンプリングトランジスタＴｒｓの制御端であるゲートは、走査線ＷＳＬ１に接続され、サンプリングトランジスタＴｒｓの電流端であるソースは、信号線ＨＳＬ１に接続され、サンプリングトランジスタＴｒｓの電流端であるドレインは、駆動用トランジスタＴｒｄの制御端であるゲートＮ１に接続されている。
【００１９】
駆動用トランジスタＴｒｄの電流端であるソースＮ２は、有機ＥＬ素子２２のアノードに接続され、駆動用トランジスタＴｒｄの電流端であるドレインは、電源線ＤＳＬ１に接続されている。保持容量２１Ｃは、駆動用トランジスタＴｒｄのゲートＮ１とソースＮ２との間に接続されている。
【００２０】
有機ＥＬ素子２２のカソードは、接地配線ＳＳＬに接続されている。なお、接地配線ＳＳＬは全ての画素回路２１に共通する。
サンプリングトランジスタＴｒｓは、走査線ＷＳＬ１に印加される書き込み電位ＶＤＤＷＳに応じて導通状態になる。サンプリングトランジスタＴｒｓが導通状態になり、且つ、信号線ＨＳＬ１にオフセット電位Ｖｏｆｓが印加されている状態で、電源線ＤＳＬ１の電位は、低電位である初期化電位Ｖｉｎｉから高電位である駆動電位Ｖｃｃｐに切り替えられる。こうした電源線ＤＳＬ１の電位の切り替えによって、駆動用トランジスタＴｒｄの閾電圧Ｖｔｈに相当する電圧が保持容量２１Ｃに保持される。
【００２１】
閾電圧Ｖｔｈに相当する電圧が保持容量２１Ｃに保持される状態で、サンプリングトランジスタＴｒｓが導通状態になり、且つ、信号線ＨＳＬ１の電位がオフセット電位Ｖｏｆｓから信号電位Ｖｓｉｇに切り替えられる。こうした信号線ＨＳＬ１の電位の切り替えによって、信号電位Ｖｓｉｇがサンプリングされて保持容量２１Ｃに保持される。
【００２２】
駆動用トランジスタＴｒｄは、サンプリングトランジスタＴｒｓが非導通状態で、駆動電位Ｖｃｃｐにある電源線ＤＳＬ１から電流の供給を受けて、保持容量２１Ｃに保持される電位に応じたドレイン電流Ｉｄｓを有機ＥＬ素子２２に流す。
【００２３】
次に、上記表示装置１０の動作について画素回路２１での書き込み動作を中心に図３を参照して説明する。なお、複数の画素回路２１の各々では、画素回路２１に接続される走査線、電源線、及び、信号線にて、電位の印加の手順が同様である。そこで、走査線ＷＳＬ１と電源線ＤＳＬ１と信号線ＨＳＬ１とに接続される画素回路２１について主に説明し、それ以外の画素回路２１の説明を省略する。
【００２４】
図３は、走査線ＷＳＬ１の電位の変化、電源線ＤＳＬ１の電位の変化、信号線ＨＳＬ１の電位の変化、駆動用トランジスタＴｒｄのゲートＮ１の電位の変化、駆動用トランジスタＴｒｄのソースＮ２の電位の変化が、共通の時間軸で示されている。
【００２５】
まず、タイミングｔ１にて、閾値補正動作の準備が開始される。
タイミングｔ１では、走査線ＷＳＬ１に基準電位ＶＳＳＷＳが印加される状態で、電源線ＤＳＬ１の電位が、駆動電位Ｖｃｃｐから初期化電位Ｖｉｎｉに切り替えられる。これによって、駆動用トランジスタＴｒｄのソースＮ２の電位が初期化電位Ｖｉｎｉに初期化される。なお、初期化電位Ｖｉｎｉは、信号線ＨＳＬ１に印加されるオフセット電位Ｖｏｆｓよりも十分に低い電位である。具体的には、駆動用トランジスタＴｒｄのゲートＮ１とソースＮ２との間の電圧が、駆動用トランジスタＴｒｄの閾電圧Ｖｔｈより大きくなるように初期化電位Ｖｉｎｉは設定される。
【００２６】
タイミングｔ２では、走査線ＷＳＬ１の電位が基準電位ＶＳＳＷＳから書き込み電位ＶＤＤＷＳに切り替えられる。これによって、駆動用トランジスタＴｒｄのゲートＮ１の電位がオフセット電位Ｖｏｆｓに初期化される。駆動用トランジスタＴｒｄのゲートＮ１の電位と駆動用トランジスタＴｒｄのソースＮ２の電位とが初期化されることによって、閾電圧補正動作の準備が完了する。
【００２７】
次いで、タイミングｔ３にて、閾値補正動作が開始される。
タイミングｔ３では、電源線ＤＳＬ１の電位が初期化電位Ｖｉｎｉから駆動電位Ｖｃｃｐに切り替えられる。これによって、駆動用トランジスタＴｒｄのゲートＮ１とソースＮ２との間の電圧が閾電圧Ｖｔｈになるように、駆動用トランジスタＴｒｄのソースＮ２の電位が遷移し始める。タイミングｔ３からタイミングｔ４までの期間では、駆動用トランジスタＴｒｄのゲートＮ１とソースＮ２との間に接続された保持容量２１Ｃに、閾電圧Ｖｔｈに相当する電圧が書き込まれる。そして、駆動用トランジスタＴｒｄのゲートＮ１とソースＮ２との間の電圧が閾電圧Ｖｔｈとなるタイミングｔ４で、走査線ＷＳＬ１の電位が、書き込み電位ＶＤＤＷＳから基準電位ＶＳＳＷＳに切り替えられる。なお、この間のドレイン電流Ｉｄｓは、保持容量２１Ｃに流れて、且つ、有機ＥＬ素子２２に流れないように、すなわち、有機ＥＬ素子２２の動作領域はカットオフであるように、接地配線ＳＳＬの電位は設定されている。これによって、タイミングｔ３からタイミングｔ４までの閾電圧補正期間Ｔ１にて、駆動用トランジスタＴｒｄのゲートＮ１とソースＮ２との間に閾電圧Ｖｔｈに相当する電圧が保持されて、閾値補正動作が完了する。
【００２８】
次いで、タイミングｔ５にて、移動度補正動作が開始される。
タイミングｔ５では、信号線ＨＳＬ１の電位がオフセット電位Ｖｏｆｓから信号電位Ｖｓｉｇに切り替えられる。タイミングｔ６では、走査線ＷＳＬ１の電位が基準電位ＶＳＳＷＳから書き込み電位ＶＤＤＷＳに切り替えられて、サンプリングトランジスタＴｒｓが導通状態になる。これによって、駆動用トランジスタＴｒｄのゲートＮ１の電位は、信号電位Ｖｓｉｇになるとともに、駆動用トランジスタＴｒｄのゲートＮ１とソースＮ２との間の電圧は、信号電位Ｖｓｉｇとオフセット電位との差に閾電圧Ｖｔｈの足し込まれた電圧になる。すなわち、保持容量２１Ｃは、信号電位Ｖｓｉｇとオフセット電位との差に閾電圧Ｖｔｈの足し込まれた電圧を保持する。
【００２９】
この際に、駆動用トランジスタＴｒｄは導通状態になる一方、有機ＥＬ素子２２の動作領域は依然としてカットオフであるため、駆動用トランジスタＴｒｄのドレイン電流は、有機ＥＬ素子２２の寄生容量２２Ｃに流れて、寄生容量２２Ｃが充電され始める。これによって、有機ＥＬ素子２２のアノード、すなわち、駆動用トランジスタＴｒｄのソースＮ２の電位が上昇し始める。駆動用トランジスタＴｒｄのゲートＮ１とソースＮ２との間の電圧は、駆動用トランジスタＴｒｄのソースＮ２の電位の上昇分である移動度補正電圧Ｖｍｃだけ減少する。結果として、駆動用トランジスタＴｒｄの移動度が大きいほど、負帰還である移動度補正電圧Ｖｍｃの絶対値は大きくなるため、駆動用トランジスタＴｒｄのゲートＮ１とソースＮ２との間の電圧は、駆動用トランジスタＴｒｄごとの移動度のばらつきが取り除かれる。また、信号電位Ｖｓｉｇとオフセット電位Ｖｏｆｓとの差が大きいほど、駆動用トランジスタＴｒｄのドレイン電流は大きく、また、移動度補正電圧Ｖｍｃの絶対値も大きくなるから、移動度補正電圧Ｖｍｃの絶対値は、発光輝度に応じた大きさになる。これによって、タイミングｔ６からタイミングｔ７までの移動度補正期間Ｔ２にて、移動度補正動作が完了する。
【００３０】
次いで、タイミングｔ７にて、発光動作が開始される。
タイミングｔ７では、走査線の電位が書き込み電位ＶＤＤＷＳから基準電位ＶＳＳＷＳに切り替えられて、駆動用トランジスタＴｒｄのゲートＮ１が信号線ＨＳＬ１から切り離される。これに伴って、駆動用トランジスタＴｒｄのドレイン電流Ｉｄｓが有機ＥＬ素子２２に流れ始める。有機ＥＬ素子２２のアノード電位は、すなわち、駆動用トランジスタＴｒｄのソースＮ２の電位は、ドレイン電流Ｉｄｓに応じて上昇する。駆動用トランジスタＴｒｄのソースＮ２の電位が上昇すると、保持容量２１Ｃのブートストラップ動作によって、駆動用トランジスタＴｒｄのゲートＮ１の電位も上昇する。
【００３１】
この際に、駆動用トランジスタＴｒｄのゲートＮ１の電位の上昇量は、駆動用トランジスタＴｒｄのソースＮ２の電位の上昇量に等しい。それゆえに、タイミングｔ７から開始される発光期間Ｔ３では、駆動用トランジスタＴｒｄのゲートＮ１とソースＮ２との間の電圧は、発光動作の開始時から一定に保たれる。こうして、保持容量２１Ｃの保持する電圧に応じた輝度で有機ＥＬ素子２２が発光する。そして、有機ＥＬ素子２２を駆動する駆動電流は、閾電圧Ｖｔｈのばらつきと移動度のばらつきとを補正した状態で生成されている。このため、有機ＥＬ素子２２の輝度は駆動用トランジスタＴｒｄの閾電圧Ｖｔｈや移動度のばらつきの影響を受けることがない。
【００３２】
次に、上記ライトスキャナ３０が各走査線ＷＳＬ１〜ＷＳＬｎに出力するゲートパルスの波形について説明する。まず、従来のライトスキャナの出力する移動度補正期間Ｔ２でのゲートパルスの波形について図４と図５とを参照して説明する。
【００３３】
なお、図４は、ゲートパルスの波形の説明に用いられる画素領域を示す図である。図４では、表示装置１０にて白色に表示される領域は白色で示され、表示装置１０にて黒色の表示される領域は黒色で示されている。
【００３４】
図４に示されるように、画素アレイ２０の左端部にて、有機ＥＬ素子２２の発光していないウインドウ領域は区画端部Ｅｗｉとして設定される。同じく、画素アレイ２０の左端部にて、白色に表示される領域は、白色端部Ｅｗｈとして設定される。これら区画端部Ｅｗｉと白色端部Ｅｗｈとは、相互に隣接している。また、画素アレイ２０の中央部にて、有機ＥＬ素子２２の発光していないウインドウ領域は区画中央部Ｃｗｉとして設定される。画素アレイ２０の中央部にて、白色に表示される領域は白色中央部Ｃｗｈとして設定される。これら区画中央部Ｃｗｉと白色中央部Ｃｗｈとは相互に隣接している。
【００３５】
図５に示されるように、画素アレイ２０の中央部でのゲートパルスの波形Ｃｔｒ（一点鎖線で囲まれた領域）では、画素アレイ２０の左端部でのゲートパルスの波形Ｅｔｒ（一点鎖線で囲まれた領域）よりも、電圧の立ち上がり期間が長く、波形が鈍る。具体的には、白色中央部Ｃｗｈでのゲートパルスの波形では、白色端部Ｅｗｈでのゲートパルスの波形に比べて、電圧の立ち上がり期間が長く、波形が鈍る。同様に、区画中央部Ｃｗｉでのゲートパルスの波形では、区画端部Ｅｗｉでのゲートパルスの波形に比べて、電圧の立ち上がり期間が長く、波形が鈍る。
【００３６】
また、ウインドウ領域でのゲートパルスの波形では、白色領域でのゲートパルスの波形よりも、電圧の立ち上がり期間が長く、波形が鈍る。具体的には、区画中央部Ｃｗｉでのゲートパルスの波形では、白色中央部Ｃｗｈでのゲートパルスの波形に比べて、電圧の立ち上がり期間が長く、波形が鈍る。同様に、区画端部Ｅｗｉでのゲートパルスの波形では、白色端部Ｅｗｈでのゲートパルスの波形に比べて、電圧の立ち上がり期間が長く、波形が鈍る。
【００３７】
こうした過渡応答の期間の差異は、例えば、ゲートパルスの伝送路の長さが異なることによって生じる。また、こうした過渡応答の期間の差異は、例えば、サンプリングトランジスタＴｒｓのゲートとソースとの間の負荷容量が、有機ＥＬ素子２２の発光時と有機ＥＬ素子２２の非発光時とで異なることによって生じる。
【００３８】
ここで、過渡応答の期間が短すぎるときには、ライトスキャナに近い画素回路２１とライトスキャナから遠い画素回路２１との間で、過渡応答の期間の差が大きくなる。結果として、走査線の延びる方向で相互に隣り合う画素回路２１では、各々の像が相互に混じり合う現象であるクロストークが発生する。
【００３９】
例えば、ゲートパルスにおける電圧の立ち上がり期間が短すぎるときには、白色中央部Ｃｗｈでのゲートパルスの鈍りの程度が、他の領域に比べて大きくなる。この際に、有機ＥＬ素子２２における寄生容量２２Ｃが容量値Ｃ０として設定されると、上述の移動度補正電圧Ｖｍｃは、Ｖｍｃ＝Ｉｄｓ×Ｃ０／Ｔ２で定められる。そして、白色中央部Ｃｗｈでは、移動度補正期間Ｔ２が他の領域に比べて長くなるため、移動度補正電圧Ｖｍｃの絶対値は必要以上に大きくなる。結果として、白色中央部Ｃｗｈの像が暗く表示されて、区画中央部Ｃｗｉの像と白色中央部Ｃｗｈの像とが相互に混じりあってしまう。
【００４０】
他方で、過渡応答の期間が長すぎるときには、画素回路２１への書き込みが、走査線の選択期間で不足する結果、信号電位Ｖｓｉｇに応じた輝度で有機ＥＬ素子２２が発光しなくなる。
【００４１】
例えば、ゲートパルスにおける電圧の立ち上がり期間が長すぎるときには、保持容量２１Ｃに対する信号電位Ｖｓｉｇの書き込みが、上述の移動度補正期間Ｔ２で完了しなくなる。結果として、白色中央部Ｃｗｈの像が暗く表示される、あるいは、移動度補正期間Ｔ２内に保持容量２１Ｃに書き込まれる電圧が、すなわち、有機ＥＬ素子２２の輝度が、本来求められる程度とは異なるものとなる。
【００４２】
このように、ライトスキャナの出力するゲートパルスには、最適な過渡応答の期間が必要である。一方で、ライトスキャナの出力回路では、通常、インバータ回路等の出力バッファを通じて、ゲートパルスの波形が整形されるが、表示装置１０の動作温度が高くなるに従って、こうしたゲートパルスの波形は鈍る傾向にある。結果として、例えば、表示装置１０の動作温度が低温であるときに、上記過渡応答の期間が最適であっても、表示装置１０の動作温度が高温であるときには、過渡応答の期間が結局のところ長すぎてしまう。あるいは、表示装置１０の動作温度が高温であるときに、上記過渡応答の期間が最適であっても、表示装置１０の動作温度が低温であるときには、過渡応答の期間が結局のところ短すぎてしまう。そこで、上記過渡応答の期間が表示装置１０の動作温度で変わることを抑えるために、上述のライトスキャナ３０では、出力バッファの電圧供給回路が温度補正機能を備えている。
【００４３】
次に、上記温度補正機能を備えるライトスキャナ３０の全体構成について図６を参照して説明する。
図６に示されるように、ライトスキャナ３０は、シフトレジスタ３１とロジック回路３２と出力バッファ３３とを備えている。シフトレジスタ３１は、シフトスタートパルスＳＴＶＲの入力によってクロックＣＬＫを用いたシフト動作を開始する。シフトスタートパルスＳＴＶＲは、１つのフィールド期間に１回入力される。
【００４４】
ロジック回路３２は、シフトレジスタ３１の出力パルスを用いてゲートパルスの波形を生成する。例えば、１段目のロジック回路３２１は、１段目のシフトレジスタＳＲ１の出力パルスを用いてゲートパルスの波形を生成し、ｎ段目のロジック回路３２ｎは、ｎ段目のシフトレジスタＳＲｎの出力パルスを用いてゲートパルスの波形を生成する。
【００４５】
出力バッファ３３は、ロジック回路３２の生成したゲートパルスを画素回路２１での動作の制御レベルに変換して波形を整形する。例えば、１段目の出力バッファ３３１は、１段目のロジック回路３２１の生成したゲートパルスを画素回路２１での動作の制御レベルに変換して、波形整形後のゲートパルスを走査線ＷＳＬ１に出力する。ｎ段目の出力バッファ３３ｎは、ｎ段目のロジック回路３２ｎの生成したゲートパルスを画素回路２１での動作の制御レベルに変換して、波形整形後のゲートパルスを走査線ＷＳＬｎに出力する。
【００４６】
次に、上記出力バッファ３３の構成について図７を参照して説明する。なお、複数の出力バッファ３３１〜３３ｎの各々は、出力バッファに接続されるロジック回路３２と走査線とが相互に異なる一方、それ以外の構成が同様である。そこで、以下では、１段目のロジック回路３２１と走査線ＷＳＬ１に接続される出力バッファ３３１の構成を主に説明し、それ以外の出力バッファの説明を省略する。
【００４７】
図７に示されるように、出力バッファ３３１は、ロジック回路３２１の出力端子に接続される第１インバータ回路ＩＮＶ１及び第２インバータ回路ＩＮＶ２を備えている。
第１インバータ回路ＩＮＶ１は、ＰＭＯＳトランジスタとＮＭＯＳトランジスタとのドレイン同士を接続して出力端子とする。第１インバータ回路ＩＮＶ１におけるＰＭＯＳトランジスタのソースは、電源電位ＶＤＤＷＳ０に接続されている。第１インバータ回路ＩＮＶ１におけるＮＭＯＳトランジスタのソースは、基準電位ＶＳＳＷＳに接続されている。こうした第１インバータ回路ＩＮＶ１は、ＰＭＯＳトランジスタ、あるいは、ＮＭＯＳトランジスタのみで構成された単なるゲート回路であってもよい。第１インバータ回路ＩＮＶ１の出力端子には、第２インバータ回路ＩＮＶ２が接続されている。
【００４８】
第２インバータ回路ＩＮＶ２は、出力バッファ３３１での最終段のインバータ回路であって、ＰＭＯＳトランジスタとＮＭＯＳトランジスタとのドレイン同士を接続して出力端子とする。第２インバータ回路ＩＮＶ２の出力端子は、走査線ＷＳＬ１に接続されている。第２インバータ回路ＩＮＶ２におけるＰＭＯＳトランジスタのソースは、制御電位線ＶＤＬを介して電圧供給回路３５に接続されている。第２インバータ回路ＩＮＶ２におけるＮＭＯＳトランジスタのソースは、基準電位ＶＳＳＷＳに接続されている。第２インバータ回路ＩＮＶ２は、ＰＭＯＳトランジスタ、あるいは、ＮＭＯＳトランジスタのみで構成された単なるゲート回路であってもよい。なお、出力バッファ３３１は、第１インバータ回路ＩＮＶ１が割愛され、第２インバータ回路ＩＮＶ２の入力端子にロジック回路３２１の出力端子が接続される構成であってもよいし、３段以上のインバータ回路を備える構成であってもよい。要するに、最終段のインバータ回路が電圧供給回路３５に接続される構成であればよい。
【００４９】
電圧供給回路３５は、抵抗素子Ｒ１と、抵抗素子Ｒ１に直列に接続されて寄生抵抗Ｒ２を含む温度補正用トランジスタＴｒｃとを備えている。抵抗素子Ｒ１は、第１電源３６に接続され、第１電源３６は、書き込み電位ＶＤＤＷＳよりも高い第１電位である電源電位ＶＤＤＷＳ０を供給する。電圧供給回路３５と上記出力バッファ３３１との各々は、同一の基板上に形成され、共通する下地層に積層された半導体層を有するトランジスタを含む。
【００５０】
抵抗素子Ｒ１と温度補正用トランジスタＴｒｃとの接続ノードＮ１２は、制御電位線ＶＤＬを介して、第２インバータ回路ＩＮＶ２におけるＰＭＯＳトランジスタのソースに接続されている。温度補正用トランジスタＴｒｃは、ダイオード接続されたＮＭＯＳトランジスタであって、ドレインが抵抗素子Ｒ１に接続され、ソースとドレインとが第２電源３７に接続されている。第２電源３７は、書き込み電位ＶＤＤＷＳよりも低い第２電位である基準電位ＶＳＳＷＳを温度補正用トランジスタＴｒｃに供給する。
【００５１】
電圧供給回路３５にて、温度補正用トランジスタＴｒｃと、この温度補正用トランジスタＴｒｃに電気的に直列に接続された抵抗素子Ｒ１とは、抵抗分割回路を構成している。この抵抗分割回路は、温度補正用トランジスタＴｒｃのオン抵抗と寄生抵抗Ｒ２との直列回路を含み、抵抗素子Ｒ１と温度補正用トランジスタＴｒｃとの接続ノードＮ１２の電位は、電源電位ＶＤＤＷＳ０と基準電位ＶＳＳＷＳとの間の電位差を抵抗分割している。すなわち、接続ノードＮ１２の電位は、温度補正用トランジスタＴｒｃにおけるオン抵抗と寄生抵抗Ｒ２との合成抵抗値と、抵抗素子Ｒ１の抵抗値との抵抗分割比によって定められる。
【００５２】
ここで、表示装置１０の動作温度が上昇すると、温度補正用トランジスタＴｒｃのオン抵抗は上昇して、温度補正用トランジスタＴｒｃでの電圧降下は大きくなる。結果として、抵抗素子Ｒ１と温度補正用トランジスタＴｒｃとの接続ノードＮ１２の電位は上昇して、第２インバータ回路ＩＮＶ２に供給される書き込み電位ＶＤＤＷＳも上昇する。上述したように、表示装置１０の動作温度が高くなるに従って、ゲートパルスの波形は鈍る傾向にあるが、上記書き込み電位ＶＤＤＷＳが上昇することによって、こうしたゲートパルスの波形の鈍りは抑えられる。
【００５３】
例えば、抵抗素子Ｒ１の抵抗値がＲｙ（Ω）として設定され、温度補正用トランジスタＴｒｃのオン抵抗と寄生抵抗Ｒ２との合成抵抗値がＲｘ（Ω）として設定される。また、表示装置１０の動作温度が２５℃であるときの合成抵抗値がＲｘ（Ω）として設定され、表示装置１０の動作温度が７５℃であるときの合成抵抗値が１．２×Ｒｘ（Ω）として設定される。なお、温度補正用トランジスタＴｒｃのオン抵抗は、寄生抵抗Ｒ２と略等しい。
【００５４】
この場合に、表示装置１０の動作温度が２５℃であるときの書き込み電位ＶＤＤＷＳは、下記式（１）で示され、表示装置１０の動作温度が７５℃であるときの書き込み電位ＶＤＤＷＳは、下記式（２）で示される。
【００５５】
ＶＤＤＷＳ＝Ｒｘ／（Ｒｘ＋Ｒｙ）×ＶＤＤＷＳ０    …（１）
ＶＤＤＷＳ＝１．２×Ｒｘ／（１．２×Ｒｘ＋Ｒｙ）×ＶＤＤＷＳ０    …（２）
電源電位ＶＤＤＷＳ０が１２（Ｖ）に設定され、Ｒｘが１（Ω）に設定され、Ｒｙが０．００５（Ω）に設定され、且つ、動作温度が２５℃である場合には、上記式（１）に基づき、書き込み電位ＶＤＤＷＳとして１１．４３（Ｖ）が生成される。
【００５６】
電源電位ＶＤＤＷＳ０が１２（Ｖ）に設定され、Ｒｘが１（Ω）に設定され、Ｒｙが０．００５（Ω）に設定され、且つ、動作温度が７５℃である場合には、上記式（２）に基づき、書き込み電位ＶＤＤＷＳとして１１．５２（Ｖ）が生成される。
【００５７】
このように、表示装置１０の動作温度が２５℃から７５℃に上昇する場合には、電圧供給回路３５の出力電圧が能動的に変化し、動作温度が２５℃である場合に比べて、書き込み電位ＶＤＤＷＳが約０．１（Ｖ）上昇する。表示装置１０の動作温度が２５℃から７５℃に上昇する場合には、通常、ゲートパルスの波形は鈍る傾向にあるが、書き込み電位ＶＤＤＷＳが約０．１（Ｖ）上昇することによって、ゲートパルスの波形の鈍りは抑えられる。
【００５８】
［実施例］
次に、上記ライトスキャナ３０が出力するゲートパルスの温度の依存性ついて、従来例のゲートパルスの温度依存性とともに、図８から図１１を参照して説明する。なお、上記第２インバータ回路ＩＮＶ２のＰＭＯＳトランジスタのソースが電源電位ＶＤＤＷＳ０に直接接続された構成が、従来例のライトスキャナに相当するものであり、従来例のゲートパルスは、こうしたライトスキャナによって得られる。
【００５９】
図８は、従来例の各温度でのゲートパルスを示す波形図であり、図９は、上記ライトスキャナ３０が出力する各温度でのゲートパルスを実施例として示す波形図である。図１０は、表示装置の動作温度が−１０℃であるときの従来例のゲートパルスと、同じく動作温度が−１０℃であるときの実施例のゲートパルスとを示す波形図である。図１１は、画素アレイ２０の中央部におけるクロストーク率を実施例と比較例の各々について示す。なお、表示装置１０の動作温度が６０℃であるときに、実施例のゲートパルスの波形と従来例のゲートパルスの波形とが近くなるように、上述の抵抗分割回路におけるＲｘ及びＲｙは設定されている。
【００６０】
図８に示されるように、従来例のゲートパルスでは、表示装置の動作温度が−１０℃から６０℃に上昇するに従って、電圧の立ち上がり期間が長くなる。この際に、ゲートパルスの振幅であるピーク電圧は、測定温度の範囲にて概ね維持される一方、動作温度が上昇するに従って、パルス幅は、徐々に長くなる。
【００６１】
図９に示されるように、実施例のゲートパルスでは、表示装置の動作温度が−１０℃から６０℃に上昇するに従って、電圧の立ち上がり期間は若干長くなる。ただし、動作温度が−１０℃から２５℃に変わる際に認められる電圧の立ち上がり期間の増加分、動作温度が２５℃から６０℃に変わる際に認められる電圧の立ち上がり期間の増加分、いずれの増加分も、従来例に比べて十分に抑えられている。
【００６２】
実施例のゲートパルスでは、従来例のゲートパルスと同様に、動作温度が上昇するに従って、パルス幅は若干長くなる。ただし、動作温度が−１０℃から２５℃に変わる際に認められるパルス幅の増加分、動作温度が２５℃から６０℃に変わる際に認められるパルス幅の増加分、いずれの増加分も、従来例に比べて十分に抑えられている。なお、実施例のゲートパルスの振幅であるピーク電圧は、表示装置の動作温度が−１０℃から６０℃に上昇するに従って、上述の書き込み電位ＶＤＤＷＳの補正により徐々に上昇する。
【００６３】
図１０に示されるように、表示装置の動作温度が−１０℃である場合にて、実施例のゲートパルスでは、従来例のゲートパルスに比べて、電圧の立ち上がり期間が長い。一方で、上述したように、実施例のゲートパルスは、表示装置１０の動作温度が６０℃であるときに従来例のゲートパルスの波形と近くなるように設定されている。それゆえに、実施例のゲートパルスでは、従来例における低温でのゲートパルスの波形が高温でのゲートパルスの波形に近くなるように、ゲートパルスが補正されている。
【００６４】
図１１に示されるように、実施例のクロストーク率は、−１０℃から６０℃までの全測定範囲において、比較例のクロストーク率よりも低い。こうしたクロストーク率の抑制は、低温の動作範囲において顕著に認められる。これは、実施例のゲートパルスの補正が上述のように実施されているからである。すなわち、従来例における低温でのゲートパルスの波形が高温でのゲートパルスの波形に近くなるように、実施例のゲートパルスが補正されているからである。
【００６５】
なお、動作温度が低くなるに従って、実施例のクロストーク率と比較例のクロストーク率とは共に増加する。これは、動作温度が低温では過渡応答の期間が短いため、ライトスキャナに近い画素回路２１とライトスキャナから遠い画素回路２１との間で、過渡応答の期間の差が大きくなるためである。上述のライトスキャナ３０によるゲートパルスの補正によれば、こうしたクロストーク率の温度依存性を軽減することが可能でもある。
【００６６】
以上のように、上記の実施形態によれば、以下の効果を得ることができる。
・表示装置１０の動作温度が高くなるに従って書き込み電位ＶＤＤＷＳと基準電位ＶＳＳＷＳとの差が大きくなるため、動作温度の上昇によるゲートパルスの鈍化が抑えられる。それゆえに、画素回路２１に入力される書き込み電位ＶＤＤＷＳの過渡応答の期間が動作温度の上昇によって変わることが抑えられる。
【００６７】
・表示装置１０の動作温度が低くなるに従って書き込み電位ＶＤＤＷＳと基準電位ＶＳＳＷＳとの差が小さくなるため、動作温度の下降によるゲートパルスの急峻化が抑えられる。それゆえに、画素回路２１に入力される書き込み電位ＶＤＤＷＳの過渡応答の期間が動作温度の下降によって変わることが抑えられる。
【００６８】
・書き込み電位ＶＤＤＷＳの補正は、ダイオード接続された温度補正用トランジスタＴｒｃによって実現される。ここで、複数の画素回路２１の配列される画素アレイ２０では、通常、サンプリングトランジスタＴｒｓや駆動用トランジスタＴｒｄが同一の工程で形成される。そして、サンプリングトランジスタＴｒｓや駆動用トランジスタＴｒｄが形成される過程では、温度補正用トランジスタＴｒｃを合わせて形成することが可能でもある。それゆえに、トランジスタ以外の素子が温度補正用に用いられる場合に比べて、表示装置１０の製造に対する負荷が軽減される。
【００６９】
・温度補正用トランジスタＴｒｃのオン抵抗は、抵抗素子Ｒ１の抵抗値より大きく設定される。例えば、実施例に記載のように、Ｒｘが１（Ω）に設定され、Ｒｙが０．００５（Ω）に設定される。ＭＯＳトランジスタのオン抵抗は、通常、トランジスタの設計ルールが小さくなるに従って小さくなる。この点で、温度補正用トランジスタＴｒｃのオン抵抗が抵抗素子Ｒ１よりも大きい構成であれば、温度補正用トランジスタＴｒｃの設計ルールが小さくなることを抑えられるから、温度補正用トランジスタＴｒｃの微細化に対する要請も抑えられる。結果として、サンプリングトランジスタＴｒｓや駆動用トランジスタＴｒｄと同様の工程で、温度補正用トランジスタＴｒｃを形成することが可能にもなる。
【００７０】
・最終段のインバータ回路である第２インバータ回路ＩＮＶ２にのみ電圧供給回路３５が接続される。それゆえに、温度補正用トランジスタＴｒｃや抵抗素子Ｒ１等の新たに付加される要素の数量を最小限に抑えることが可能でもある。
【００７１】
・上述のゲートパルスは、閾電圧補正期間Ｔ１の終了時期を定める。また、上述のゲートパルスは、移動度補正期間Ｔ２の開始時期と移動度補正期間Ｔ２の終了時期とを定める。すなわち、書き込み電位ＶＤＤＷＳの補正の結果は、１つの走査期間内で２回以上にわたって適用される。それゆえに、過渡応答の期間の変動の抑制効果が、より顕著となる。
【００７２】
言い換えれば、１つの走査期間内で複数回にわたり電流制御が必要とされる対象であるからこそ、動作温度の変化によって変る程度の過渡応答の期間の差異が深刻な問題を招く。それゆえに、こうした対象では、上記電圧供給回路３５による電位の温度補正は、より顕著な効果を奏する。
【００７３】
なお、上記の実施形態は、以下のようなに変形して実施することもできる。
・有機ＥＬ素子２２に駆動電流を供給する回路は、サンプリングトランジスタＴｒｓと駆動用トランジスタＴｒｄとを用いる回路に限られず、カレントミラー回路であってもよい。こうした構成であれば、トランジスタが定電流源として機能しない場合であっても、トランジスタの特性や有機ＥＬ素子の特性の変動を補正することが可能となる。
【００７４】
・サンプリングトランジスタＴｒｓと駆動用トランジスタＴｒｄとは、Ｎチャンネルトランジスタに限られず、サンプリングトランジスタＴｒｓと駆動用トランジスタＴｒｄとは、少なくとも一方がＰチャンネルトランジスタであってもよい。
【００７５】
・電圧供給回路３５は、ライトスキャナ３０に加えて、ドライブスキャナ４０に備えられてもよく、信号スキャナ５０に備えられてもよい。なお、ライトスキャナ３０は、画素アレイ２０の左右両側端に形成されてもよいし、また、ドライブスキャナ４０も、画素アレイ２０の左右両側端に形成されてもよい。
【００７６】
・表示装置１０の駆動方式は、アクティブマトリクス方式に限られず、１つのフレームを複数のサブフィールドに分割し、映像信号に応じてサブフィールドをオン及びオフするサブフィールド方式であってもよい。
【００７７】
・温度補正用トランジスタＴｒｃは、ＮＭＯＳトランジスタに限らず、ＰＭＯＳトランジスタであってもよいし、これらＮＭＯＳトランジスタとＰＭＯＳトランジスタとが併用される構成であってもよい。
【００７８】
・また、温度の上昇に応じて抵抗値が上昇する、いわゆる温度に対して正の依存性を備える素子は、上記温度補正用トランジスタＴｒｃの他、温度の上昇に対して抵抗値が上昇するサーミスタであってもよい。
【００７９】
・また、温度に対して正の依存性を備える素子の数量は、１つに限らず、２つ以上であってもよいし、２以上の素子であれば、抵抗素子Ｒ１に対して直列に接続されてもよいし、抵抗素子Ｒ１に対して並列に接続されてもよい。
【００８０】
・なお、電圧供給回路を構成する素子は、温度に対して正の依存性を備える素子に限らず、温度に対して負の依存性を備える素子であってもよい。要するに、電圧供給回路は、動作温度が高くなるに従って制御電位と基準電位との差を大きくする構成であればよい。
【００８１】
・抵抗分割回路は、基準電位ＶＳＳＷＳよりも高く、且つ、電源電位ＶＤＤＷＳ０よりも低い電位と電源電位ＶＤＤＷＳ０との間の電位差を抵抗分割し、接続ノードＮ１２の電位をこれらの電位差の抵抗分割比によって定めてもよい。あるいは、抵抗分割回路は、基準電位ＶＳＳＷＳよりも低い電位と電源電位ＶＤＤＷＳ０との間の電位差を抵抗分割し、接続ノードＮ１２の電位をこれらの電位差の抵抗分割比によって定めてもよい。要するに、抵抗分割回路は、制御電位よりも高い第１電位と制御電位よりも低い第２電位との間の電位差を抵抗分割し、接続ノードＮ１２の電位をこれらの電位差の抵抗分割比によって定めればよい。
【００８２】
・出力バッファ３３に含まれるインバータ回路の数量は、１つであってもよいし、３つ以上であってもよい。要するに、最終段のインバータ回路が、制御電位である書き込み電位と基準電位とを相補的に出力する構成であればよい。
【００８３】
・制御信号は、基準電位ＶＳＳＷＳよりも低い電位と基準電位ＶＳＳＷＳとの間で切り替えられてもよい。
この際に、例えば、第１インバータ回路ＩＮＶ１におけるＰＭＯＳトランジスタのソースと、第２インバータ回路ＩＮＶ２におけるＰＭＯＳトランジスタのソースとが基準電位ＶＳＳＷＳに接続される。また、第１インバータ回路ＩＮＶ１におけるＮＭＯＳトランジスタのソースが電源電位ＶＤＤＷＳ０に接続される。また、第２インバータ回路ＩＮＶ２におけるＮＭＯＳトランジスタのソースが抵抗分割回路の接続ノードＮ１２に接続される。そして、抵抗分割回路では、抵抗素子Ｒ１が基準電位ＶＳＳＷＳに接続され、且つ、温度補正用トランジスタＴｒｃのソースが、基準電位ＶＳＳＷＳよりも低い第２電位を供給する第２電源３７に接続される。
【００８４】
なお、上記構成にて、抵抗素子Ｒ１は、基準電位ＶＳＳＷＳよりも低く、且つ、制御電位よりも高い第１電位を供給する第１電源３６に接続され、そして、温度補正用トランジスタＴｒｃのソースが、制御電位よりも低い第２電位を供給する第２電源３７に接続されてもよい。
【００８５】
・上述のゲートパルスは、閾電圧補正期間Ｔ１の終了時期のみを定める構成であってもよい。例えば、移動度補正期間Ｔ２の開始時期や移動度補正期間Ｔ２の終了時期は、上記出力バッファ３３が生成するゲートパルス以外の信号に基づいて定められてもよい。
【００８６】
・上述のゲートパルスは、移動度補正期間Ｔ２の開始時期や移動度補正期間Ｔ２の終了時期のみを定める構成であってもよい。例えば、閾電圧補正期間Ｔ１の終了時期は、上記出力バッファ３３が生成するゲートパルス以外の信号に基づいて定められてもよい。
【００８７】
・電圧供給回路３５の供給する電位は、保持容量への信号電位の書き込み以外に用いられてもよく、例えば、複数の走査線から１つの走査線を選択するためのパルス信号に用いられてもよい。要するに、電圧供給回路の供給する電位は、複数の走査線の各々に供給される制御信号に用いられる構成であればよく、制御信号の制御の対象は書き込み動作以外であってもよい。
【００８８】
・表示装置１０は、有機ＥＬ表示装置に限られず、液晶表示装置、あるいは、ＬＥＤ表示装置、プラズマ表示装置であってもよい。要するに、本開示の技術における表示装置は、画素に制御信号を入力するスキャナに電圧供給回路を備える構成であればよい。
【００８９】
［電子機器］
上述の表示装置１０を備える電子機器について説明する。なお、表示装置１０は、さまざまな用途に適用可能であって、特に限定されるものではない。そのため以下では、例えば、表示装置１０が表示部を備える電子機器に適用された構成について説明するものの、その構成はあくまでも一例であり、適宜の変更が可能である。
【００９０】
図１２に示されるように、電子書籍端末１００の筐体１０１には、上述の表示装置１０からなる表示部１０２と、表示部１０２における表示の態様を操作する操作ボタン１０３とが搭載されている。
【００９１】
図１３に示されるように、パーソナルコンピューター１１０の下側筐体１１１には、キーボード１１２と操作部１１３とが搭載され、パーソナルコンピューター１１０の上側筐体１１４には、上述の表示装置１０からなる表示部１１５が搭載されている。
【００９２】
図１４に示されるように、テレビジョン１２０の支持台１２１に取り付けられた筐体１２２には、上述の表示装置１０からなる表示部１２３が搭載されている。
図１５に示されるように、デジタルスチルカメラ１３０の筐体１３１の１つの面側には、撮像対象を写すレンズ１３２と、デジタルスチルカメラ１３０に撮像させるための撮像ボタン１３３が形成されている。また、図１６に示されるように、筐体１３１の他の面側には、上述の表示装置１０からなる表示部１３４と、操作ボタン１３５とが搭載されている。
【００９３】
図１７に示されるように、デジタルビデオカメラ１４０の筐体１４１には、レンズ１４２と、操作ボタン１４３とが搭載されている。また、筐体１４１には、連結部１４４を介して表示部用筐体１４５が連結され、表示部用筐体１４５には、上述の表示装置１０からなる表示部１４６が搭載されている。
【００９４】
図１８に示されるように、携帯電話端末１５０の備える下側筐体１５１には、操作ボタン１５２が搭載され、また、下側筐体１５１には、連結部１５３を介して上側筐体１５４が連結されている。上側筐体１５４には、上述の表示装置１０からなる表示部１５５が搭載されている。また、図１９に示されるように、上側筐体１５４における表示部１５５とは対向する面には、上述の表示装置１０からなる裏面表示部１５６が搭載されている。
【００９５】
なお、本開示における表示装置は、以下のような構成とすることもできる。
（１）複数の画素回路と、走査線を介して前記複数の画素回路に制御信号を供給する走査線駆動回路と、を備え、前記走査線駆動回路は、制御電位を供給する電圧供給回路と、基準電位と前記制御電位との切り替えで前記制御信号を生成する出力バッファとを含み、前記電圧供給回路は、動作温度が高くなるに従って前記制御電位と前記基準電位との差を大きくする表示装置。
【００９６】
（２）前記電圧供給回路は、前記制御電位より高い第１電位を供給する第１電源と、前記制御電位より低い第２電位を供給する第２電源と、前記第１電源と前記第２電源との間に接続される抵抗分割回路を備え、前記抵抗分割回路は、ダイオード接続されたトランジスタと抵抗素子とを含む上記（１）に記載の表示装置。
【００９７】
（３）前記制御電位は前記基準電位よりも高く、前記第２電位は前記基準電位と等しい上記（２）に記載の表示装置。
（４）前記制御電位は前記基準電位よりも高く、前記第２電位は前記基準電位と等しい上記（２）に記載の表示装置。
【００９８】
（５）前記電圧供給回路は、前記トランジスタと前記抵抗素子との間に出力端を備える上記（２）から（４）のいずれか１つに記載の表示装置。
（６）前記電圧供給回路は、前記トランジスタのオン抵抗が前記抵抗素子の抵抗値よりも大きく、前記抵抗素子と前記トランジスタとの抵抗分割によって前記制御電位を生成する上記（２）から（５）のいずれか１つに記載の表示装置。
【００９９】
（７）前記制御信号は、動作温度が低いときの振幅に比べて動作温度が高いときの振幅が大きい上記（１）から（６）のいずれか１つに記載の表示装置。
（８）前記出力バッファは、複数のインバータ回路を含み、前記複数のインバータ回路のうち、前記走査線に接続されるインバータ回路が前記電圧供給回路に接続される上記（１）から（７）のいずれか１つに記載の表示装置。
【０１００】
（９）前記電圧供給回路と前記出力バッファとは、同一基板上に形成される上記（１）から（８）のいずれか１つに記載の表示装置。
（１０）信号線を介して前記複数の画素回路に表示信号を供給する信号線駆動回路をさらに備え、前記画素回路は、サンプリングトランジスタ、駆動用トランジスタ、発光素子、及び、保持容量を含み、前記サンプリングトランジスタは、前記信号線と前記保持容量とに接続され、前記制御信号に応じて導通して前記表示信号の信号電位を前記保持容量に書き込み、前記駆動用トランジスタは、電源線と前記発光素子との間に接続され、前記保持容量に書き込まれた電位に応じた駆動電流を前記発光素子に供給する上記（１）から（９）のいずれか１つに記載の表示装置。
【０１０１】
（１１）複数の画素回路と、走査線を介して前記複数の画素回路に制御信号を供給する走査線駆動回路と、を備え、前記走査線駆動回路は、前記制御信号を出力する出力バッファと、制御電位線に制御電位を供給する電圧供給回路と、基準電位を供給する基準電位線とを備え、前記出力バッファは前記制御電位線と前記基準電位線とに接続され、前記電圧供給回路は、前記制御電位より高い第１電位を供給する第１電源と、前記制御電位より低い第２電位を供給する第２電源と、前記第１電源と前記第２電源との間に接続される抵抗分割回路を備え、前記抵抗分割回路は、ダイオード接続されたトランジスタと抵抗素子とを含む表示装置。
【符号の説明】
【０１０２】
Ｃ０…容量値、Ｉｄ…駆動電流、Ｎ１…ゲート、Ｎ２…ソース、Ｒ１…抵抗素子、Ｒ２…寄生抵抗、Ｔ１…閾電圧補正期間、ｔ１，ｔ２，ｔ３，ｔ４，ｔ５，ｔ６，ｔ７，ｔ８…タイミング、Ｔ２…移動度補正期間、Ｔ３…発光期間、ＣＬＫ…クロック、Ｃｔｒ，Ｅｔｒ…波形、Ｃｗｈ…白色中央部、Ｃｗｉ…区画中央部、Ｅｗｈ…白色端部、Ｅｗｉ…区画端部、Ｉｄｓ…ドレイン電流、Ｎ１２…接続ノード、ＳＲ１，ＳＲｎ…シフトレジスタ、ＳＳＬ…接地配線、Ｔｒｃ…温度補正用トランジスタ、Ｔｒｓ…サンプリングトランジスタ、Ｔｒｄ…駆動用トランジスタ、Ｖｍｃ…移動度補正電圧、Ｖｔｈ…閾電圧、ＤＳＬ１，ＤＳＬｎ…電源線、ＨＳＬ１，ＨＳＬｎ…信号線、ＩＮＶ１…第１インバータ回路、ＩＮＶ２…第２インバータ回路、ＳＴＶＲ…シフトスタートパルス、Ｖｃｃｐ…駆動電位、Ｖｉｎｉ…初期化電位、Ｖｏｆｓ…オフセット電位、Ｖｓｉｇ…信号電位、ＷＳＬ１，ＷＳＬｎ…走査線、ＶＤＤＷＳ…書き込み電位、ＶＳＳＷＳ…基準電位、ＶＤＤＷＳ０…電源電位、ＤＳＬ１，ＤＳＬｎ…電源線、ＨＳＬ１，ＨＳＬｎ…信号線、ＷＳＬ１，ＷＳＬｎ…走査線、１０…表示装置、２０…画素アレイ、２１…画素回路、２１Ｃ…保持容量、２２…有機ＥＬ素子、２２Ｃ…寄生容量、３０…ライトスキャナ、３１…シフトレジスタ、３２，３２１，３２ｎ…ロジック回路、３３，３３１，３３ｎ…出力バッファ、３５…電圧供給回路、３６…第１電源、３７…第２電源、４０…ドライブスキャナ、５０…信号スキャナ、１００…電子書籍端末、１０１，１２２，１３１，１４１…筐体、１０２，１１５，１２３，１３４，１４６，１５５…表示部、１０３，１３５，１４３，１５２…操作ボタン、１１０…パーソナルコンピューター、１１１，１５４…下側筐体、１１２…キーボード、１１３…操作部、１１４，１５４…上側筐体、１２０…テレビジョン、１２１…支持台、１３０…デジタルスチルカメラ、１３２，１４２…レンズ、１３３…撮像ボタン、１４０…デジタルビデオカメラ、１４４，１５３…連結部、１４５…表示部用筐体、１５０…携帯電話端末、１５１…下側筐体、１５６…裏面表示部。
【図１】
0006035473.tif 000002
【図２】
0006035473.tif 000003
【図３】
0006035473.tif 000004
【図４】
0006035473.tif 000005
【図５】
0006035473.tif 000006
【図６】
0006035473.tif 000007
【図７】
0006035473.tif 000008
【図８】
0006035473.tif 000009
【図９】
0006035473.tif 000010
【図１０】
0006035473.tif 000011
【図１１】
0006035473.tif 000012
【図１２】
0006035473.tif 000013
【図１３】
0006035473.tif 000014
【図１４】
0006035473.tif 000015
【図１５】
0006035473.tif 000016
【図１６】
0006035473.tif 000017
【図１７】
0006035473.tif 000018
【図１８】
0006035473.tif 000019
【図１９】
0006035473.tif 000020